(57)【要約】【課題】煩わしい作業を伴うことなく壁とパネル部材との間に隙間無く床面を形成することができるようにしたフリーアクセスフロアを提供する。【解決手段】水平面上の一方向及び／又はこれと略直角方向に整列して配置された複数のパネル部材８と、各々が複数のパネル部材８の各々の隅部を支持する複数の支持台１２が互いの間隔を維持して一体的に連結された複数のパネルユニット１０とを備えたフリーアクセスフロア３２において、壁３寄りに配置されたパネル部材８の外側壁寄りに一部分が配置された支持台１２の部分に支持されて、壁３寄りに配置されたパネル部材８と壁３との間にパネル部材８の床面と同一高さを有する床面を形成する端部部材３６を設けるようにした。【選択図】図３
2008202353.tif 000002
【特許請求の範囲】
【請求項１】
水平面上の一方向及び／又はこれと略直角方向に整列して配置された複数のパネル部材と、各々が前記複数のパネル部材の各々の隅部を支持する複数の支持台が互いの間隔を維持して一体的に連結された複数のパネルユニットとを備えたフリーアクセスフロアにおいて、
壁寄りに配置された前記パネル部材の外側壁寄りに一部分が配置された支持台の前記部分に支持されて、前記壁寄りに配置されたパネル部材と壁との間に前記パネル部材の床面と同一高さを有する床面を形成する端部部材を設けた
ことを特徴とするフリーアクセスフロア。
【請求項２】
前記支持台が被係合部を有し、
前記端部部材が前記被係合部に係合する係合部を有する
ことを特徴とする請求項１に記載のフリーアクセスフロア。
【発明の詳細な説明】
【技術分野】
【０００１】
本発明は、クリーンルームやオフィスルーム等の部屋の床部に敷設される複数のフロアパネル（床板）を、下地コンクリート床面の上方に間隔をおいて配置し、かつ水平方向に並べて配置していくことにより床面が形成されるフリーアクセスフロアに関するものである。
【背景技術】
【０００２】
図７は、部屋の床部に敷設された従来のフリーアクセスフロア２の、壁３寄りの領域を示す平面図である。この従来のフリーアクセスフロア２の敷設作業の途中段階において、壁３からある程度離れている領域では、図８に示すように、複数のパネルユニット４を、互いに間隔を空けて下地コンクリート床面６上に配置する作業が行なわれる。このパネルユニット４は、フリーアクセスフロア２の床板となる４枚のパネル部材８と、図９，１０に示すような支持台ユニット１０とを備えて構成されている。
【０００３】
支持台ユニット１０は、水平面の縦方向及び横方向に３行３列に並んで配置された９つの支持台１２と、合成樹脂製であって、支持台１２のそれぞれを支持する９つの受け台２０と、前記縦方向及び横方向に互いに隣合う受け台２０同士を一体的に連結する連結帯２２を備えて構成されている。支持台１２のそれぞれは、金属性のパイプ材１６、及びこのパイプ材１６の上端部に設けられる合成樹脂製のキャップ１８を備えて構成されている。
【０００４】
支持台ユニット１０の各受け台２０には、図１０に示すように、一定深さの凹部２４が形成されており、各凹部２４には、支持台１２のパイプ材１６の下端部が嵌合している。各凹部２４同士の水平面の縦方向及び横方向のピッチ間隔（各凹部２４の中心間の間隔）は、図７に示すパネル部材８の縦方向及び横方向のピッチ間隔と同じ長さになるように形成されている。これにより、このような凹部２４のそれぞれに嵌合する９つの支持台１２の互いのピッチ間隔は、図８に示すように、パネル部材８のピッチ間隔と同じ長さに維持されるようになっている。
【０００５】
図１１は、図９，１０における支持台１２のキャップ１８を示す平面図である。同図に示すように、キャップ１８は、その上端面１８ａ上に開口するよう形成されて、後述するパネル部材８の折曲った側板部３０と係合可能な４本の溝部２６を有している。
【０００６】
このキャップ１８の４本の溝部２６は、これら４本の中の２本が、上端面１８ａ上の一方向に伸びるよう互いに平行に一定間隔で並んで配置され、この２本と直角に交差する他方向に、他の２本が互いに平行に一定間隔で並んで配置されている。これら４本の溝部２６は、互いに平行に並んで配置される２本の組合せ同士が、互いの長さ方向の中央部において交差している。
【０００７】
また、図１２は、図７におけるパネル部材８を示す平面図である。パネル部材８は、定形部材であって、同図に示すように、略正方形の平面形状を有する天板部２８と、この天板部２８の四辺のそれぞれに、下地コンクリート床面６側（図１２中、紙面に垂直方向の奥側）に一定高さを有するよう折曲げて設けられる側板部３０とを有している。
【０００８】
このようなパネル部材８を、図９，１０に示す支持台ユニット１０上に４枚水平に２行２列に並べて載置することにより、図８に示すようなパネルユニット４を組立て上げることができる。このようなパネルユニット４の各パネル部材８は、図１２に示す天板部２８の各隅部が、図９，１０に示す支持台ユニット１０の対応する各支持台１２のキャップ１８上に載置されると共に、図１２に示す各側板部３０の両端部のそれぞれが、対応する支持台１２の図１１に示す溝部２６に嵌合するようになっている。
【０００９】
図８に示すように、パネルユニット４のそれぞれは、互いに対向する支持台１２の中心部間が、図中縦方向及び横方向にパネル部材８の一辺の長さとほぼ同じ長さの間隔だけ互いに離れて、下地コンクリート床面６上に配置される。そして、パネルユニット４同士の間のパネル部材８が配置されていない領域には、各パネルユニット４のパネル部材８よりも外側にはみ出す各支持台１２のキャップ１８の上端面１８ａ上に、その中心部間に渡すようにパネル部材８が配置されることにより、図７に示すように、パネル部材８が水平面における縦横に連続的に整列して並ぶフリーアクセスフロア２が形成されるようになっている。
【００１０】
また、図８に示すように、各パネルユニット４における、その中心位置に配置される支持台１２（図８中、不図示）以外の、他の８つの支持台１２のそれぞれは、そのキャップ１８の上端面１８ａの外形の一部が４枚のパネル部材８よりも外側にはみ出している。また、このような８つの支持台１２のそれぞれに対応する、支持台ユニット１０の受け台２０も、やはり、その外形の一部が４枚のパネル部材８よりも外側にはみ出している。
【００１１】
したがって、図示しないが、不図示の壁の壁際に配置されるパネルユニット４は、壁側にはみ出す支持台１２及び受け台２０が障害となって、そのパネル部材８の側辺が不図示の壁に突き当たるように配置することができないので、このような不図示の壁際にはフリーアクセスフロア２の床面が形成されないことになってしまう。
【００１２】
このため、図７に示す壁３の壁際に配置される各パネルユニット４Ａにおいては、図９の支持台ユニット１０について、同図に示すように、仮想線Ｘと交差する連結帯２２の長さ中間部分を必要な長さだけ切除することにより、３つの支持台１２を有するグループと、６つの支持台１２を有するグループとに分割するようにしていた。
【００１３】
これにより、このような３つの支持台１２を有するグループと、６つの支持台１２を有するグループとの間の、互いの支持台１２間の間隔を狭くするよう調整することができるので、図７に示すように、壁３側の３つの支持台１２及び受け台２０がパネル部材８の側辺よりも壁３側にはみ出さない位置でパネル部材８を支持するように、壁３側の３つの支持台１２及び受け台２０の位置を修正し、壁３側のパネル部材８の側辺が壁３に隙間無く突き当たるようにして、壁３の壁際にも床面が形成されるようにしていた。
【発明の開示】
【発明が解決しようとする課題】
【００１４】
しかしながら、上述したような従来のフリーアクセスフロア２においては、壁３の壁際に配置される各パネルユニット４Ａについて、その壁３寄りのパネル部材８の側辺が壁３に突き当たるようにするための、その連結帯２２の長さ中間部分を切除する等の作業が煩わしいという問題があった。
【００１５】
そこで本発明は、上記問題点に鑑みて、煩わしい作業を伴うことなく壁とパネル部材との間に隙間無く床面を形成することができるようにしたフリーアクセスフロアを提供することを課題とするものである。
【課題を解決するための手段】
【００１６】
上記課題を解決するために本発明は、
水平面上の一方向及び／又はこれと略直角方向に整列して配置された複数のパネル部材と、各々が前記複数のパネル部材の各々の隅部を支持する複数の支持台が互いの間隔を維持して一体的に連結された複数のパネルユニットとを備えたフリーアクセスフロアにおいて、
壁寄りに配置された前記パネル部材の外側壁寄りに一部分が配置された支持台の前記部分に支持されて、前記壁寄りに配置されたパネル部材と壁との間に前記パネル部材の床面と同一高さを有する床面を形成する端部部材を設けたことを特徴とするものである。
【００１７】
また、本発明によるフリーアクセスフロアは、
前記支持台が被係合部を有し、
前記端部部材が前記被係合部に係合する係合部を有することを特徴とするものである。
【発明の効果】
【００１８】
このような本発明に係るフリーアクセスフロアによれば、
水平面上の一方向及び／又はこれと略直角方向に整列して配置された複数のパネル部材と、各々が前記複数のパネル部材の各々の隅部を支持する複数の支持台が互いの間隔を維持して一体的に連結された複数のパネルユニットとを備えたフリーアクセスフロアにおいて、
壁寄りに配置された前記パネル部材の外側壁寄りに一部分が配置された支持台の前記部分に支持されて、前記壁寄りに配置されたパネル部材と壁との間に前記パネル部材の床面と同一高さを有する床面を形成する端部部材を設けたことにより、
煩わしい作業を伴うことなく壁とパネル部材との間に隙間無く床面を形成することができる。
【００１９】
また、本発明のフリーアクセスフロアは、
前記支持台が被係合部を有し、
前記端部部材が前記被係合部に係合する係合部を有することにより、
前記端部部材が、適切な位置から水平方向にずれたり、前記支持台から容易に落下するのを防止することができる。
【発明を実施するための最良の形態】
【００２０】
以下、本発明に係るフリーアクセスフロアを実施するための最良の形態について、図面に基づいて具体的に説明する。
図１から図６は、本発明の一実施の形態に係るフリーアクセスフロア３２について説明するために参照する図である。従来と同様の部分には同じ符号を用いて説明し、従来と同様の構成についての重複する説明は省略するものとする。
【００２１】
図１は、部屋の床部に敷設した本実施の形態に係るフリーアクセスフロア３２の、敷設開始側の壁３寄りの領域を示す平面図である。同図に示すように、本実施の形態に係るフリーアクセスフロア３２は、壁３の壁際に配置される複数の端部部材３６を備えている。
【００２２】
また、図２は、フリーアクセスフロア３２の敷設作業の途中段階にあるものを示す拡大平面図であって、図１に示す壁３の壁に沿って配置される複数のパネルユニット４Ａのうちの、１つのパネルユニット４Ａと、この１つのパネルユニット４Ａに対応して配置される端部部材３６とを示した図である。
【００２３】
壁３の壁際に配置されるパネルユニット４Ａは、壁３寄りの３つの支持台１２、及びこの３つの支持台１２のそれぞれを支持する３つの受け台２０が、パネル部材８の側辺よりも壁３側にはみ出した状態のままで配置されている。そして、端部部材３６が、パネルユニット４Ａの壁３寄りのパネル部材８の側辺と壁３との間に配置されている。
【００２４】
端部部材３６は、その断面を示す図３に示すように、下地コンクリート床面６と略平行の床板部３８、及びこの床板部３８の壁３側の端部から下地コンクリート床面６側に略垂直に折れ曲がって連続して形成された下垂板部４０、並びに床板部３８における下垂板部４０とは反対側の端部から下地コンクリート床面６側に略垂直に折れ曲がって形成される係合部４２を有している。
【００２５】
この端部部材３６における下垂板部４０は、その高さ寸法（図３中、縦方向の長さ寸法）が、端部部材３６の床板部３８と下地コンクリート床面６との間の長さ寸法よりも短くなるように形成されており、その下端が下地コンクリート床面６に接地しないようになっている。
【００２６】
壁３の下地コンクリート床面６寄りの高さの位置に形成された配線孔４４と、端部部材３６の床板部３８の下側の空間との間が、端部部材３６の下垂板部４０で遮断されないようにすることにより、壁３の配線孔４４を通り、かつ、端部部材３６の床板部３８の下側の空間を経由して、パネル部材８の下側の空間に配線を通すことができるようにすると共に、下垂板部４０の高さ寸法の製造誤差により、その下端が下地コンクリート床面６に接地して床板部３８が隣のパネル部材８よりも高く浮き上がることを防止するためである。
【００２７】
また、端部部材３６は、図２に示すように、その長さ方向（図２中縦方向）が、パネル部材８の一辺の長さのほぼ３倍の長さを有するように形成されている。端部部材３６は、対応するパネルユニット４Ａの壁３寄りの各支持台１２に対応する位置、すなわち、端部部材３６の長さ方向の一方の端部３６ａ、及び長さ中間位置３６ｃのそれぞれにおいて、図３に示すように、床板部３８が、各支持台１２のキャップ１８の上端面１８ａ上に載置され、係合部４２が、キャップ１８の溝部２６（被係合部）に係合している。
【００２８】
また、端部部材３６は、図２に示すように、その端部３６ａとは反対側の端部３６ｂにおいて、床板部３８が、この端部部材３６に対応するパネルユニット４Ａの、図２中上方に配置される隣のパネルユニット４Ａおける、壁３寄りの支持台１２のキャップ１８の上端面１８ａ上に載置され、係合部４２が、キャップ１８の溝部２６に係合している。
【００２９】
端部部材３６の両端部３６ａ，３６ｂにおいては、係合部４２は、両端部３６ａ，３６ｂ側のそれぞれの端面から、図１１に示すキャップ１８の溝部２６の、図中縦方向の寸法Ｌの長さ範囲に対応する長さ部分だけが、キャップ１８の溝部２６に係合している。
【００３０】
図４は、図１と同じく部屋の床部に敷設したフリーアクセスフロア３２の、前記壁３と対向する部屋の反対側の敷設終了側の壁３４寄りの領域を示す平面図である。同図における壁３４の壁際に配置されるフリーアクセスフロア３２のパネルユニット４Ｂ、及び端部部材３６等について以下に説明する。
【００３１】
フリーアクセスフロア３２を敷設する作業は、おおむね、図１に示す一方の壁３側から、図４に示す他方の壁３４側に向かって進められる。このためフリーアクセスフロア３２は、壁３４の近傍の領域の敷設作業が行なわれる際に、図５，６に示すように、壁３４の壁際の端部部材３６と互いに隣合って配置されるパネル部材８を、壁３と壁３４とが互いに対向する方向（図５，６中横方向）の長さ途中位置で、その長さを短くするよう切断することにより、長さ調整を行なっている。
【００３２】
また、切断して短くなったパネル部材８を支持する支持台ユニット１０も、その連結帯２２の長さ途中位置で、その長さを短くするよう切断して、壁３４寄りの３つの受け台２０を有するグループと、他の６つの受け台２０を有するグループとに分割され、このような壁３４側の３つの受け台２０を有するグループと、他の６つの受け台２０を有するグループとの間の間隔が調整されるようになっている。
【００３３】
また、図５に示すパネルユニット４Ｂ同士の間に、端部部材３６と互いに隣合って配置される不図示のパネル部材８も、やはり壁３と壁３４とが互いに対向する方向（図５，６中横方向）の長さ途中位置で、その長さを短くするよう切断することにより、長さ調整されてから配置される。これにより、フリーアクセスフロア３２は、図４に示すように、その床面が壁３４の壁際まで連続的に形成されるようになっている。
【００３４】
このような本実施の形態に係るフリーアクセスフロア３２によれば、従来のような煩わしい作業をすることなく、壁３，３４とパネル部材８との間に隙間無くフリーアクセスフロア３２の床面を形成することができると共に、壁３，３４の壁寄りに配置する各パネルユニット４のパネル部材８よりも外側にはみ出す支持台１２や受け台２０等が、壁３，３４の壁際に床面を形成する際の障害とならないようにすることができる。
【００３５】
また、本実施の形態に係るフリーアクセスフロア３２によれば、端部部材３６は、その係合部４２が、支持台１２におけるキャップ１８の溝部２６に係合するようになっているので、端部部材３６が、適切な位置から水平方向にずれたり、支持台１２から容易に落下するのを防止することができる。
【００３６】
なお、本実施の形態に係るフリーアクセスフロア３２においては、パネル部材８に正方形のものが用いられていたが、この正方形を２枚つなげて一体化した長方形等の、他の形状のものを用いてもよい。
【００３７】
また、本実施の形態に係るフリーアクセスフロア３２においては、パネルユニット４は、パネル部材８が２行２列に４枚並んで配置されていたが、パネルユニット４は、そのパネル部材８が、水平面上の一方向及び／又はこれと略直角の方向に、２行２列以外の任意の行数、列数及び枚数で、整列して配置されるものであってもよい。
【００３８】
また、本実施の形態に係るフリーアクセスフロア３２においては、端部部材３６は、その長さ方向（図２中縦方向）に、パネル部材８の一辺の長さのほぼ３倍の長さを有するように形成されていたが、端部部材３６は、このような長さのものに限定する必要はない。
【００３９】
また、本実施の形態に係るフリーアクセスフロア３２においては、壁３，３４の壁際に端部部材３６を配置するようになっていたが、部屋内に図示しない支柱等があって、その周囲にパネルユニット４を配置する場合には、このような不図示の支柱等の外周とパネルユニット４との間には、図２，５に示すような壁３，３４とパネルユニット４との間の関係と同様の関係が生じる。
【００４０】
したがって、部屋内に図示しない支柱等がある場合には、このような不図示の支柱等の外周が、壁３，３４に相当するものとして本発明を適用することができる。このため、上記本発明の適用範囲を考える場合には、支柱等の外周も「壁」の概念に含まれるものとして考え、これらを「壁」と総称することとする。
【図面の簡単な説明】
【００４１】
【図１】本発明の一実施の形態に係るフリーアクセスフロア３２を示す図であって、このフリーアクセスフロア３２を敷設した部屋内の敷設開始側の壁３寄りの領域を示す平面図である。
【図２】図１に示すフリーアクセスフロア３２の敷設作業の途中段階にあるものを示す図であって、壁３の壁際に配置されるパネルユニット４Ａと端部部材３６を示す部分拡大平面図である。
【図３】図２に示すフリーアクセスフロア３２を壁３から直角方向で切断した側面断面図である。
【図４】本発明の一実施の形態に係るフリーアクセスフロア３２を示す図であって、このフリーアクセスフロア３２を敷設した部屋内の敷設終了側の壁３４寄りの領域を示す平面図である。
【図５】図４に示すフリーアクセスフロア３２の敷設作業の途中段階にあるものを示す図であって、壁３４の壁際に配置されるパネルユニット４Ｂと端部部材３６を示す拡大平面図である。
【図６】図５に示すフリーアクセスフロア３２を壁３４から直角方向で切断した側面断面図である。
【図７】従来のフリーアクセスフロア２を示す図であって、このフリーアクセスフロア２を敷設した部屋内の敷設開始側の壁３寄りの領域を示す平面図である。
【図８】図７に示す従来のフリーアクセスフロア２の敷設作業の途中段階にあるものを示す図であって、敷設開始側の壁３からある程度離れている領域を示す平面図である。
【図９】図８中の支持台ユニット１０だけを取り出して示すその平面図である。
【図１０】図９における支持台ユニット１０のＹ−Ｙ線断面矢視図である。
【図１１】図９中のキャップ１８だけを取り出して示すその平面図である。
【図１２】図８中のパネル部材８だけを取り出して示すその平面図である。
【符号の説明】
【００４２】
２  フリーアクセスフロア
３  壁
４  パネルユニット
６  下地コンクリート床面
８  パネル部材
１０  支持台ユニット
１２  支持台
１６  パイプ材
１８  キャップ
１８ａ  上端面
２０  受け台
２２  連結帯
２４  凹部
２６  溝部
２８  天板部
３０  側板部
３２  フリーアクセスフロア
３４  壁
３６  端部部材
３８  床板部
４０  下垂板部
４２  係合部
４４  配線孔
【図１】
2008202353.tif 000003
【図２】
2008202353.tif 000004
【図３】
2008202353.tif 000005
【図４】
2008202353.tif 000006
【図５】
2008202353.tif 000007
【図６】
2008202353.tif 000008
【図７】
2008202353.tif 000009
【図８】
2008202353.tif 000010
【図９】
2008202353.tif 000011
【図１０】
2008202353.tif 000012
【図１１】
2008202353.tif 000013
【図１２】
2008202353.tif 000014